(57)【要約】【課題】屋外に設置しても雨や埃の侵入を確実に防ぐことができる洗濯機カバーを提供する。【解決手段】洗濯機カバー１は、本体カバー２と蓋カバー３と開閉ファスナー４とスライドファスナー５とホースカバー６とを含む。洗濯機カバー１として、洗濯機１０を覆う主要な部分は、防水生地による本体カバー２と蓋カバー３とに別れる。蓋カバー３と本体カバー２との間は、線状の開閉ファスナー４で開閉可能である。洗濯機１０に水を供給する給水ホース１１は、洗濯機１０の上部の装着部に、スライドファスナー５に形成する開口を介して差し込まれる。給水ホース１１を通すために開口させるスライドファスナー５の隙間は、ホースカバー６で覆われる。【選択図】図１
0003234407.tif 000002
【実用新案登録請求の範囲】
【請求項１】
洗濯機を防水生地で覆って保護するために、蓋付近を覆う蓋カバーと他の部分を覆う本体カバーに別れ、蓋カバーと本体カバーとの間が線状の開閉ファスナーで開閉可能で、給水ホースの装着部を開口可能なスライドファスナーも設けられる洗濯機カバーにおいて、
開閉ファスナーおよびスライドファスナーは、防水性ファスナーが使用され、
スライドファスナーで給水ホースを通すために開口させる隙間を覆う、エラストマー製のホースカバーを含む
ことを特徴とする洗濯機カバー。
【請求項２】
前記防水性ファスナーは、止水ファスナーであることを特徴とする請求項１記載の洗濯機カバー。
【請求項３】
前記エラストマーは、伸縮性を有するシリコンゴムであることを特徴とする請求項１または２記載の洗濯機カバー。
【考案の詳細な説明】
【技術分野】
【０００１】
本考案は、洗濯機を屋外などに設置する際に、雨や汚れから保護するための洗濯機カバーに関するものである。
【背景技術】
【０００２】
家庭用の洗濯機は、屋内での使用を想定して製造されている。しかしながら、屋内のスペースを有効利用するためや、干し場に近づけて労力を軽減するためなどで、洗濯機を屋外に設置する方が好ましい場合があり、洗濯機カバーを用いて洗濯機を保護することが知られている（たとえば、特許文献１および特許文献２、ならびに非特許文献１参照）。これらの洗濯機カバーは、防水生地で洗濯機の全面を覆う形状になっている。ただし、洗濯機には洗濯槽に洗濯物を出し入れする蓋付きなどの開口部が上面や前面に設けられ、洗浄槽に水を供給する給水口も上面後部に設けられることが多い。また、蓋の周囲には、洗濯機の運転操作部も設けられている。洗濯機カバーは、運転操作部の操作や蓋の開け閉めを可能にするために、蓋付近を覆う蓋カバーと、蓋付近を除く全体部分を覆う本体カバーとに別れ、蓋カバーと本体カバーとの間は線状のファスナーで連続的に、または面ファスナーで間欠的に接合するようにして装着している。給水口に関しては、上面の後部で開口するように、線状のファスナーをスライドファスナーとして設け、洗濯機による給水口の位置の違いがあっても、給水口の部分でスライドファスナーを開き、外部から給水口への給水ホースの差し込みを可能にしている。
【先行技術文献】
【特許文献】
【０００３】
【特許文献１】登録実用新案第３０２０６２８号公報
【特許文献２】登録実用新案第３１３１７４９号公報
【非特許文献】
【０００４】
【非特許文献１】trees 楽天市場店のWebページ<URL: https://item.rakuten.co.jp/treesoyc/cw01/?iasid=07rpp_10095___ex-kqt7iof7-3i-1b84ab32-2129-47ea-8954-cdd8a879435a >
【考案の概要】
【考案が解決しようとする課題】
【０００５】
洗濯機カバーで洗濯機を覆っても、蓋カバーと本体カバーとの間を閉じていても、水などの液体が侵入してしまう。スライドファスナーでは、給水ホースの周囲に隙間が空いており、この隙間から雨や埃が侵入して、濡れたり汚れたりしてしまう。
【０００６】
本考案の目的は、屋外に設置しても雨や埃の侵入を確実に防ぐことができる洗濯機カバーを提供することである。
【課題を解決するための手段】
【０００７】
本考案は、洗濯機を防水生地で覆って保護するために、蓋付近を覆う蓋カバーと他の部分を覆う本体カバーに別れ、蓋カバーと本体カバーとの間が線状の開閉ファスナーで開閉可能で、給水ホースの装着部を開口可能なスライドファスナーも設けられる洗濯機カバーにおいて、
開閉ファスナーおよびスライドファスナーは、防水性ファスナーが使用され、
スライドファスナーで給水ホースを通すために開口させる隙間を覆う、エラストマー製のホースカバーを含む
ことを特徴とする洗濯機カバーである。
【０００８】
また本考案で、前記防水性ファスナーは、止水ファスナーであることを特徴とする。
【０００９】
また本考案で、前記ホースカバーは、前記エラストマーとして伸縮性を有するシリコンゴムが使用されることを特徴とする。
【考案の効果】
【００１０】
本考案の洗濯機カバーは、蓋カバーと本体カバーとの間を開閉する開閉ファスナーと、給水ホースの装着部を開口可能なスライドファスナーとに、防水性ファスナーが使用されるので、閉じた状態で雨や埃の侵入を防ぐことができる。スライドファスナーで給水ホースを通すために開口させる隙間は、エラストマー製のホースカバーで覆うので、屋外に設置しても、全体として雨や埃の侵入を確実に防ぐことができる。開閉部分から雨や埃が侵入するのを防ぐことで、浸水などによる洗濯機の故障、劣化や汚れを防ぐことができる。
【００１１】
また本考案の防水性ファスナーは、止水ファスナーであるので、閉じた部分からの雨や埃の侵入を確実に防ぐことができる。
【００１２】
また本考案のホースカバーは、伸縮性を有するシリコンゴム製なので、給水ホースに密着させ、スライドファスナーの隙間を覆って、雨や埃の侵入を確実に防ぐことができる。
【図面の簡単な説明】
【００１３】
【図１】図１は、本考案の一実施例である洗濯機カバー１の外観構成を示した図面代用写真である。
【図２】図２は、図１の洗濯機カバー１で、蓋カバー３を開いた状態を示した図面代用写真である。
【図３】図３は、図１の洗濯機カバー１で、スライドファスナー５の隙間５ａをふさぐ状態を示した図面代用写真である。
【考案を実施するための形態】
【００１４】
以下、図１から図３は、本考案の一実施例である洗濯機カバー１の構成を示す。各図で対応する部分は，同一の参照符を付して示し、重複する説明を省略する場合がある。また説明の便宜上、説明対象の図には記載されていない部分について、他の図に記載される参照符を付して言及する場合がある。
【実施例】
【００１５】
図１は、本考案の一実施例である洗濯機カバー１の外観構成を示す。洗濯機カバー１は、本体カバー２と蓋カバー３と開閉ファスナー４とスライドファスナー５とホースカバー６とを含む。洗濯機カバー１として、洗濯機１０を覆う主要な部分は、防水生地による本体カバー２と蓋カバー３とに別れる。蓋カバー３と本体カバー２との間は、線状の開閉ファスナー４で開閉可能である。洗濯機１０に水を供給する給水ホース１１は、洗濯機１０の上部の装着部に、スライドファスナー５に形成する開口を介して差し込まれる。給水ホース１１を通すために開口させるスライドファスナー５の隙間は、ホースカバー６で覆われる。洗濯機カバー１の下方からは、排水ホース１２や電源コード１３が取り出される。
【００１６】
図２は、洗濯機カバー１で蓋カバー３を開いている状態を示す。洗濯機１は、上面に洗濯槽１５への開口部１６および運転操作部１７を有する。なお、開口部１６に設けられる蓋の図示は省略する。図示のように蓋カバー３を開くことによって、洗濯機１０を使用する際の洗濯作業を容易に行うことができる。
【００１７】
図３は、ホースカバー６を使用する効果を示す。図３（ａ）はホースカバー６を使用しない場合、図３（ｂ）は使用する場合を示す。スライドファスナー５を用いることで、洗濯機１０による給水口の位置の違いがあっても、給水口の部分でスライドファスナー５を開き、外部から給水口への給水ホース１１の差し込みが可能になる。ただし、給水ホース１１はスライドファスナー５の幅に比較して大口径となるので、図３（ａ）に示すように、スライドファスナー５を開口した部分には隙間５ａが生じてしまう。本実施例では、図３（ｂ）に示すように、隙間５ａをホースカバー６で覆う。ホースカバー６は、エラストマー製、好ましくは伸縮性を有するシリコンゴムを材料として形成される。本実施例のホースカバー６はドーナツ状であり、中央に給水ホース１１の先端に付けるノズルの外径よりも少し小さい孔を設け、この孔を押し広げるようにノズルを挿入するので、ノズルとホースカバー６との間に隙間は生じない。また孔の外部の環状の部分は、隙間５ａを覆うので、雨や埃の侵入を防ぐことができる。特に、隙間５ａが開いていると、黄砂なども侵入して洗濯機１０や洗濯槽１５の内部が汚れるおそれがあるので、ホースカバー６の防止効果は大きくなる。なお、ホースカバー６の外形は、円形ばかりではなく、多角形など、他の形状であってもよい。
【００１８】
図１に示すように、本体カバー２と蓋カバー３とを開閉ファスナー４で閉じ、給水ホース１１の差し込み箇所を除いてスライドファスナー５を閉じている状態では、開閉ファスナー４やスライドファスナー５を介して侵入する雨や埃が問題となる。開閉ファスナー４およびスライドファスナー５に防水性ファスナーを使用することで、屋外に設置しても雨や埃の侵入を防ぐことができる。防水性ファスナーとしては、気密性ファスナーなどもあるけれども、開閉に力を要するようになるので、生活防水程度の防水性となる止水ファスナーを使用することが好ましい。
【００１９】
本実施例では、洗濯機１０として、上部に開口部１６や運転操作部１７を有するものを対象にしているけれども、前部に開口部や運転操作部を有するものでも、本体カバー２に対して前部を蓋カバー３で開閉するようにすればよい。
【符号の説明】
【００２０】
１    洗濯機カバー
２    本体カバー
３    蓋カバー
４    開閉カバー
５    スライドファスナー
５ａ  隙間
６    ホースカバー
【図１】
0003234407.tif 000003
【図２】
0003234407.tif 000004
【図３】
0003234407.tif 000005